(57)【要約】【課題】導光部材の位置調整が容易な画像読取装置及びこれを備えた画像形成装置を提供する。【解決手段】複数のＬＥＤが長手方向に配置されたＬＥＤ基板６０と、当接面７１ａ，７１ｂを有し、複数のＬＥＤから出射された光を案内するライトガイド７０と、ライトガイド７０から出射された光を受けたシートの反射光を光電変換して画像情報を読み取るＣＣＤと、長手方向において互いに異なる位置に配置され、ライトガイド７０の当接面７１ａ，７１ｂをそれぞれ支持する斜面８６ａ，８６ｂを有するベース部８０と、を備える。ライトガイド７０の当接面７１ａ，７１ｂの少なくとも一方は曲面であり、斜面８６ａ，８６ｂの少なくとも一方は曲面である。【選択図】図１０
2019149778.tif 000002
【特許請求の範囲】
【請求項１】
複数の光源が長手方向に配置された基板と、
第１当接面、及び前記長手方向において前記第１当接面とは異なる位置に配置される第２当接面を有し、前記複数の光源から出射された光を案内する導光部材と、
前記導光部材から出射された光を受けたシートの反射光を光電変換して画像情報を読み取る画像読取部と、
前記第１当接面を支持する第３当接面、及び前記長手方向において前記第３当接面とは異なる位置に配置され、前記第２当接面を支持する第４当接面を有する支持部材と、を備え、
前記長手方向に直交する断面において、前記導光部材の前記第１当接面及び前記支持部材の前記第３当接面の少なくとも一方は曲面であり、
前記長手方向に直交する断面において、前記導光部材の前記第２当接面及び前記支持部材の前記第４当接面の少なくとも一方は曲面である、
ことを特徴とする画像読取装置。
【請求項２】
前記導光部材の前記第１当接面と前記第３当接面並びに前記導光部材の前記第２当接面と前記第４当接面は、それぞれ接着されている、
ことを特徴とする請求項１に記載の画像読取装置。
【請求項３】
前記第３当接面は、前記長手方向に直交する断面において、前記導光部材の前記第１当接面と第１接点及び第２接点で接し、
前記第４当接面は、前記長手方向に直交する断面において、前記導光部材の前記第２当接面と第３接点及び第４接点で接し、
前記第１接点における前記導光部材の前記第１当接面の法線と前記第２接点における前記導光部材の前記第１当接面の法線との交点を第１交点とし、
前記第３接点における前記導光部材の前記第２当接面の法線と前記第４接点における前記導光部材の前記第２当接面の法線との交点を第２交点とし、
前記第１交点及び前記第２交点を通る軸線は、前記長手方向に平行に延び、
前記導光部材の前記第１当接面及び前記第２当接面の少なくとも一方は前記軸線を中心とする円弧状に形成され、
前記支持部材の前記第３当接面及び前記第４当接面の少なくとも一方は前記軸線を中心とする円弧状に形成される、
ことを特徴とする請求項１又は２に記載の画像読取装置。
【請求項４】
前記第３当接面は、前記第１接点における前記第１当接面の接線平面と前記第２接点における前記第１当接面の接線平面によって形成され、
前記第４当接面は、前記第３接点における前記第２当接面の接線平面と前記第４接点における前記第２当接面の接線平面によって形成され、
前記導光部材の前記第１当接面及び前記第２当接面は、前記長手方向に直交する断面において、前記軸線を中心とする円弧状に形成される、
ことを特徴とする請求項３に記載の画像読取装置。
【請求項５】
前記第３当接面、前記第４当接面、前記導光部材の前記第１当接面及び前記第２当接面は、前記長手方向に直交する断面において、前記軸線を中心とする円弧状に形成される、
ことを特徴とする請求項３に記載の画像読取装置。
【請求項６】
前記導光部材は、前記第１当接面を有し前記長手方向に平行に延びる第１軸部と、前記第２当接面を有し前記長手方向に平行に延びる第２軸部と、を有し、
前記第３当接面は、前記第１軸部を支持し、
前記第４当接面は、前記第２軸部を支持する、
ことを特徴とする請求項３に記載の画像読取装置。
【請求項７】
前記基板は、前記支持部材に接着されている、
ことを特徴とする請求項１乃至６のいずれか１項に記載の画像読取装置。
【請求項８】
前記導光部材は、前記支持部材に向けて突出する突出部を有し、
前記支持部材は、前記突出部が前記長手方向において移動規制されると共に、前記長手方向に直交する方向において移動規制されないように挿入される長孔部を有する、
ことを特徴とする請求項１乃至７のいずれか１項に記載の画像読取装置。
【請求項９】
前記導光部材は、前記基板を保持すると共に、下面から前記突出部が突出する保持部を有する、
ことを特徴とする請求項８に記載の画像読取装置。
【請求項１０】
請求項１乃至９のいずれか１項に記載の画像読取装置と、
前記画像読取装置によって読取られた画像をシートに形成する画像形成部と、を備える、
ことを特徴とする画像形成装置。
【請求項１１】
複数の光源が長手方向に配置された基板と、前記複数の光源から出射された光を案内する導光部材と、前記導光部材から出射された光を受けたシートの反射光を光電変換して画像情報を読み取る画像読取部と、前記導光部材を支持する支持部材と、を備えた画像読取装置の製造方法であって、
前記導光部材を前記支持部材に載置する載置工程と、
前記導光部材の被押圧部を押圧することで、前記長手方向に延びる軸線を中心に、前記導光部材の前記支持部材に対する回動角を調整する調整工程と、
前記調整工程によって回動角が調整された前記導光部材を前記支持部材に対して固定する固定工程と、を備える、
ことを特徴とする画像読取装置の製造方法。
【請求項１２】
前記載置工程において、前記支持部材は組立工具に固定されており、
前記調整工程において、前記導光部材の前記被押圧部は、前記組立工具に支持される調整ピンによって押圧される、
ことを特徴とする請求項１１に記載の画像読取装置の製造方法。
【発明の詳細な説明】
【技術分野】
【０００１】
本発明は、シートの画像を読み取る画像読取装置及びこれを備える画像形成装置並びに画像読取装置の製造方法に関する。
【背景技術】
【０００２】
一般に、複写機やファクシミリ等の画像形成装置は、原稿の画像を光学的に読み取る画像読取装置を備えている。この画像読取装置においては、原稿を照明するために、複数のＬＥＤ（点光源）を直線状に配列した照明装置を備えたものが知られている。複数のＬＥＤを光源とした場合、原稿面におけるＬＥＤ配列方向の照度分布ムラの発生を抑制するため、照明装置は、原稿面とＬＥＤとの間に、透明樹脂やガラス等からなる導光部材を備えている。この導光部材は、複数のＬＥＤから出射されて円形に拡散する光を、原稿面に向けて原稿読取時の主走査方向（ＬＥＤ配列方向）に沿って導光する。
【０００３】
そして、複数のＬＥＤ及び導光部材の位置や姿勢によって、原稿面上の照明位置が決定されるため、これらの位置や姿勢にばらつきが生じると、原稿面上の照明位置が変動してしまう。照明位置が設計された位置から変動すると、照明不良を起こし、光量不足による読取画像の不鮮明化や、光路長変動による読取画像のボケが生じる虞がある。このため、複数のＬＥＤ及び導光部材の位置や姿勢の精度を高めて、原稿面上の照明位置を正しい位置に設定する必要がある。
【０００４】
従来、導光板を受け台に対して位置決めピンによって位置決めし、その後、導光板を上方から覆うカバーと受け台によって導光板を挟み付けることによって導光板を固定した画像読取装置が提案されている（特許文献１参照）。また、発光素子を有する回路基板を台板に対してビス等によって取り付け、台板に係止された弾性板によって導光部材を台板に対して位置決めした画像読取装置が提案されている（特許文献２参照）。
【先行技術文献】
【特許文献】
【０００５】
【特許文献１】特開２０１０−１３００５６号公報
【特許文献２】特開２０１２−１２９９７４号公報
【発明の概要】
【発明が解決しようとする課題】
【０００６】
しかしながら、上記特許文献１に記載の画像読取装置は、導光板をカバーと受け台の２部材によって挟み付けるため、導光板の位置決めに関する部品が多く、部品寸法公差の影響を受けやすい。また、導光板に一体形成された位置決めピンと受け台に形成されたピン孔の配置は製造時に設定され、導光板の位置調整を行うことができず、導光板の位置や姿勢のバラつきを修正することができない。
【０００７】
また、上記特許文献２に記載の画像読取装置は、台板と導光部材との間に回路基板が介在しているため、回路基板の寸法公差や位置精度が導光部材の位置精度に影響を及ぼしてしまう。また、導光部材の位置調整を行うことができない。
【０００８】
そこで、本発明は、導光部材の位置調整を容易に行うことができる画像読取装置及びこれを備えた画像形成装置並びに画像読取装置の製造方法を提供することを目的とする。
【課題を解決するための手段】
【０００９】
本発明は、画像読取装置において、複数の光源が長手方向に配置された基板と、第１当接面、及び前記長手方向において前記第１当接面とは異なる位置に配置される第２当接面を有し、前記複数の光源から出射された光を案内する導光部材と、前記導光部材から出射された光を受けたシートの反射光を光電変換して画像情報を読み取る画像読取部と、前記第１当接面を支持する第３当接面、及び前記長手方向において前記第３当接面とは異なる位置に配置され、前記第２当接面を支持する第４当接面を有する支持部材と、を備え、前記長手方向に直交する断面において、前記導光部材の前記第１当接面及び前記支持部材の前記第３当接面の少なくとも一方は曲面であり、前記長手方向に直交する断面において、前記導光部材の前記第２当接面及び前記支持部材の前記第４当接面の少なくとも一方は曲面である、ことを特徴とする。
【発明の効果】
【００１０】
本発明によると、導光部材の位置調整を容易に行うことができる。
【図面の簡単な説明】
【００１１】
【図１】第１の実施の形態に係るプリンタを示す全体概略図。
【図２】読取ユニットを示す断面図。
【図３】スキャナユニットを示す断面図。
【図４】照明ユニットを示す斜視図。
【図５】（ａ）はライトガイドユニットを上方から視た分解斜視図、（ｂ）はライトガイドユニットを下方から視た分解斜視図。
【図６】ベース部を示す平面図。
【図７】（ａ）はライトガイドユニットを上方から視た斜視図、（ｂ）はライトガイドユニットを下方から視た斜視図。
【図８】（ａ）はＬＥＤ基板をライトガイドに組み付ける様子を示す底面図、（ｂ）はスロット部にＬＥＤ基板が挟持されたことを示す正面図及び拡大正面図。
【図９】（ａ）は組立工具及びベース部を示す分解斜視図、（ｂ）はベース部を組立工具に固定した状態を示す斜視図。
【図１０】（ａ）はライトガイド及びベース部を示す分解斜視図、（ｂ）はライトガイド、ベース部及び調整ピンを示す断面図。
【図１１】（ａ）は照明位置Ｆに設定した際のライトガイドユニットを示す断面図、（ｂ）は照明位置Ｆ’ に設定した際のライトガイドユニットを示す断面図。
【図１２】ライトガイド及びＬＥＤ基板をベース部にＵＶ接着する箇所を示す平面図。
【図１３】第２の実施の形態に係るライトガイド、ベース部及び調整ピンを示す断面図。
【図１４】第３の実施の形態に係るライトガイドユニット及びベース部を示す分解斜視図。
【発明を実施するための形態】
【００１２】
＜第１の実施の形態＞
以下、本発明に係る画像読取装置及び画像形成装置について、図面を参照しながら説明する。以下の実施形態に記載されている構成部品の寸法、材質、形状、その相対配置などは、特に特定的な記載がない限りは、本技術の適用範囲をそれらのみに限定する趣旨のものではない。
【００１３】
［プリンタの概略構成］
まず、画像形成装置としてのプリンタ１０１の概略構成について図１を参照しながら説明する。プリンタ１０１は、図１に示すように、プリンタ本体１０１Ａと、画像読取装置１０３と、を備えている。プリンタ本体１０１Ａの上方に配置された画像読取装置１０３は、詳しくは後述するように読取ユニット３０とＡＤＦ１とを備え、原稿Ｄを光学的に走査して画像情報を読み取る。原稿Ｄとは、用紙及び封筒等の紙、オーバーヘッドプロジェクタ用シート（ＯＨＴ）等のプラスチックフィルム、布などのシートである。画像読取装置１０３によって電気信号に変換された画像情報は、プリンタ本体１０１Ａに設けられた制御部１２２へと転送される。なお、本実施の形態において、プリンタ１０１を操作する操作パネル（不図示）に臨んで立つ際の装置の前面側を手前側、装置の背面側を奥側と定義する。
【００１４】
プリンタ本体１０１Ａは、記録媒体であるシートＰに画像を形成する画像形成部１１９と、画像形成部１１９にシートＰを給送するシート給送部３４と、手差し給送部１１７と、を有している。シート給送部３４は、互いに異なるサイズのシートを収納可能なシート収納部１３７ａ，１３７ｂ，１３７ｃ，１３７ｄを備えている。各シート収納部に収納されたシートは、ピックアップローラ３２によって繰り出され、フィードローラ３３ａ及びリタードローラ３３ｂによって１枚ずつ分離されて、対応する搬送ローラ対１２０へと受け渡される。そして、シートＰは、シート搬送路に沿って配置された複数の搬送ローラ対１２０に順に受け渡されることで、レジストレーションローラ対１３６へと搬送される。
【００１５】
なお、ユーザによって手差し給送部１１７の手差しトレイ１３７ｅに載置されたシートＰは、給送ローラ１３８によってプリンタ本体１０１Ａの内部に給送され、レジストレーションローラ対１３６へと搬送される。レジストレーションローラ対１３６は、シートＰの先端を停止させて斜行を補正すると共に、画像形成部１１９によるトナー像の形成プロセスである作像動作の進行に合わせてシートＰの搬送を再開する。
【００１６】
シートＰに画像を形成する画像形成部１１９は、感光体である感光ドラム１２１を備えた電子写真方式のユニットである。感光ドラム１２１は、シートＰの搬送方向に沿って回転可能であり、感光ドラム１２１の周囲には帯電器１１８、露光装置１２３、現像器１２４、転写帯電器１２５、分離帯電器１２６、及びクリーナ１２７が配置されている。帯電器１１８は感光ドラム１２１の表面を一様に帯電させ、露光装置１２３は画像読取装置１０３等から入力される画像情報に基づいて感光ドラム１２１を露光し、感光ドラム１２１上に静電潜像を形成する。
【００１７】
現像器１２４は、トナー及びキャリアを含む二成分現像剤を収容しており、感光ドラム１２１に帯電したトナーを供給することで静電潜像をトナー像に現像する。感光ドラム１２１に担持されたトナー像は、転写帯電器１２５が形成するバイアス電界により、レジストレーションローラ対１３６から搬送されるシートＰに転写される。トナー像を転写されたシートＰは、分離帯電器１２６が形成するバイアス電界によって感光ドラム１２１から離間し、定着前搬送部１２８によって定着部１２９へ向けて搬送される。なお、シートＰに転写されずに感光ドラム１２１に残留した転写残トナー等の付着物はクリーナ１２７によって除去され、感光ドラム１２１は次の作像動作に備える。
【００１８】
定着部１２９に搬送されたシートＰは、ローラ対に挟持されて加圧されながら加熱され、トナーの溶融・固着により画像を定着させられる。画像出力が完了している場合、定着画像が得られたシートＰは、排出ローラ対４０を介して、プリンタ本体１０１Ａの外方に突出した排出トレイ１３０に排出される。両面印刷においてシートＰの裏面に画像を形成する場合、定着部１２９を通過したシートＰは、反転部１３９によって表面と裏面とを入れ替えられ、両面搬送部１４０によってレジストレーションローラ対１３６へと搬送される。そして、画像形成部１１９によって再び画像を形成されたシートＰは、排出トレイ１３０に排出される。
【００１９】
［画像読取装置］
次に、図１、図２及び図３を参照して、画像読取装置１０３の構成を説明する。図１に示すように、ＡＤＦ１は、原稿給送トレイ２に載置された原稿Ｄを原稿排出トレイ３に向けて搬送する。読取ユニット３０は、図２に示すように、フレーム３０ａによって外装が形成され、フレーム３０ａの上面には、原稿台ガラス３１及びプラテンガラス３１ａが配置されている。フレーム３０ａの内部には、スキャナユニット５０が保持されており、スキャナユニット５０は、モータによって駆動される不図示のワイヤ又はベルトによって、原稿台ガラス３１に対して平行に移動可能に構成されている。
【００２０】
スキャナユニット５０は、図３に示すように、ＣＣＤ（Ｃｈａｒｇｅ  Ｃｏｕｐｌｅｄ  Ｄｅｖｉｃｅｓ）方式のセンサユニットである。具体的には、スキャナユニット５０は、ボックスフレーム５１と、ボックスフレーム５１の上部に取り付けられる照明ユニット５５と、ミラー５２ａ，５２ｂ，５２ｃ，５２ｄ，５２ｅと、レンズユニット５３と、ＣＣＤ５４と、を有している。
【００２１】
照明ユニット５５は、２つのライトガイドユニット５６Ｌ，５６Ｒを有しており、これらライトガイドユニット５６Ｌ，５６Ｒからそれぞれ原稿Ｄに向けて出射された光Ｌ１，Ｌ２は、原稿Ｄの下面上に設定される照明位置Ｆに集光し、反射される。原稿Ｄによって反射された反射光Ｌ３は、ミラー５２ａ，５２ｂ，５２ｃ，５２ｄ，５２ｅ及びレンズユニット５３を介して、ＣＣＤ５４に結像する。画像読取部としてのＣＣＤ５４は、反射光Ｌ３によって出来た像を光電変換し、原稿Ｄの下面の画像に応じた電気信号を制御部１２２に出力する。
【００２２】
このように構成された画像読取装置１０３は、ＡＤＦ１により原稿Ｄを給送しながら原稿画像を走査する流し読みモードと、原稿台ガラス３１に載置された原稿を走査する固定読みモードと、により、原稿Ｄから画像情報を読み取る。流し読みモードは、原稿給送トレイ２に載置された原稿Ｄを装置が検出した場合、又はプリンタ本体１０１Ａの操作パネル等によってユーザが明示的に指示した場合に選択される。この場合、スキャナユニット５０がプラテンガラス３１ａの下方にある状態で、ＡＤＦ１が原稿給送トレイ２に載置された原稿Ｄを１枚ずつ給送する。そして、スキャナユニット５０からプラテンガラス３１ａを介して原稿Ｄの画像読取面である下面に走査光を照射して走査する。即ち、スキャナユニット５０は、副走査方向（図１における左右方向）に走査することで、原稿台ガラス３１上に載置された原稿Ｄの画像読取を行う。
【００２３】
一方、固定読みモードは、原稿台ガラス３１に載置された原稿Ｄを装置が検出した場合又はプリンタ本体１０１Ａの操作パネル等によってユーザが明示的に指示した場合に選択される。固定読みモードの場合には、ユーザは、まずＡＤＦ１を開いて原稿台ガラス３１に原稿を載置し、ＡＤＦ１を閉じることで原稿を原稿台ガラス３１に位置決めする。そして、スキャナユニット５０が、原稿台ガラス３１に沿って移動しながら光を照射して原稿台ガラス３１に載置された原稿Ｄを走査する。なお、流し読みモードを実行するためのスキャナユニットと、固定読みモードを実行するためのスキャナユニットと、を別々に設けてもよい。
【００２４】
[ライトガイドユニットの構成]
照明ユニット５５は、図４に示すように、ライトガイドユニット５６Ｌ，５６Ｒが取り付けられる支持部材としてのベース部８０を備えている。ライトガイドユニット５６Ｌ，５６Ｒは、同一の構成を有し、副走査方向において対称に配置されている。そして、ライトガイドユニット５６Ｌ，５６Ｒのベース部８０への取付方法は同様であるため、以下、ライトガイドユニット５６Ｒのみを説明し、ライトガイドユニット５６Ｌの説明は省略する。
【００２５】
ライトガイドユニット５６Ｒは、図５（ａ）及び図５（ｂ）に示すように、導光部材としてのライトガイド７０と、基板としてのＬＥＤ基板６０と、を備えている。ＬＥＤ基板６０は、基板部６１と、基板部６１上に実装される複数の光源としてのＬＥＤ６２と、複数のＬＥＤ６２と電気的に繋げられたコネクタ部６３と、を備えている。ここで、複数のＬＥＤ６２は、基板部６１の長手方向に直線状に実装されて、該実装方向は上述の副走査方向と直交する主走査方向と同一である。また、複数のＬＥＤ６２は、不図示の電気配線によりコネクタ部６３を介して電力供給される。図５（ａ）に示される破線領域内は、基板部６１に含まれる挿入部６１ａである。以下では、スキャナユニット５０の移動方向である副走査方向をｙ方向、主走査方向をｘ方向、これらｘ方向及びｙ方向に直交する上下方向をｚ方向と規定する。
【００２６】
ライトガイド７０は、ｘ方向の両端部に形成されベース部８０に当接する円弧形状の当接面７１ａ，７１ｂと、ＬＥＤ基板６０を保持するスロット部７６，７７，７８と、ベース部８０に挿入される位置決めピン部７６ｂと、を有している。突出部としての位置決めピン部７６ｂは、保持部としてのスロット部７６の下面７６ａから下方に延びている。また、ライトガイド７０は、複数のＬＥＤ６２から照射される光が入射する入射面７４と、入射された光が原稿Ｄの照明位置Ｆ（図３参照）へ向かって出射する出射面７５と、を備えている。入射面７４から入射した光は、ライトガイド７０内で複数回反射した後、出射面７５に案内される。
【００２７】
ベース部８０は、図６に示すように、ライトガイド７０の当接面７１ａ，７１ｂをそれぞれ支持する支持部８１ａ，８１ｂと、位置決めピン部７６ｂが挿入される長孔部８２と、を有している。また、ベース部８０は、後述する組立工具９０に設けられる調整ピン９３ａ，９３ｂ，９３ｃが挿通される孔部８３ａ，８３ｂ，８３ｃを有している（図９（ａ）参照）。なお、ベース部８０には、ライトガイドユニット５６Ｌを取り付けるために、上述の構成が副走査方向において対称に形成されている。また、ベース部８０は、原稿Ｄからの反射光Ｌ３をボックスフレーム５１の内部へ通すための開口部８４と、ボックスフレーム５１の上部及び後述する組立工具９０に対してベース部８０を位置決めするための位置決め孔８５ａ，８５ｂと、を有している。
【００２８】
［ＬＥＤ基板のライトガイドユニットへの取付け］
ＬＥＤ基板６０は、図７（ａ）及び図７（ｂ）に示すように、挿入部６１ａ（図５（ａ）参照）がライトガイド７０のスロット部７６，７７，７８に挿入されることによって、ライトガイド７０に保持される。
【００２９】
ここで、基板部６１は、図８（ａ）に示すように、ｘ方向における両端部に切欠き部６４ａ，６４ｃが形成されており、ｘ方向における中央部に切欠き部６４ｂが形成されている。これら切欠き部６４ａ，６４ｂ，６４ｃは、ｙ方向に沿って凹んでいる。そして、ＬＥＤ基板６０の挿入部６１ａがスロット部７６，７７，７８に挿入された時、切欠き部６４ｂにスロット部７７がｘ方向において嵌合（係合）する。該嵌合によって、ＬＥＤ基板６０のライトガイド７０に対するｘ方向（主走査方向、長手方向）の変位を規制する。この際、切欠き部６４ａとスロット部７６との間、及び切欠き部６４ｃとスロット部７８との間には、ｘ方向においてこれらが互いに干渉しないための十分な間隔がそれぞれ設けられる。ＬＥＤ６２の点灯による発熱や、外部環境の温度変化に伴う部材の熱膨張によって、ライトガイド７０とＬＥＤ基板６０との間に、熱膨張係数の違いによるｘ方向の変位差が生じることがある。しかしながら、上述の間隔を設けることで、ライトガイド７０とＬＥＤ基板６０との突っ張りに伴う反り、歪みの発生を防止することができる。
【００３０】
更に、図８（ｂ）に示すように、挿入部６１ａがスロット部７６，７７，７８に挿入された時、挿入部６１ａは、スロット部７６，７７，７８に圧入された状態で挟持される。具体的には、スロット部７６，７７，７８は、ｙ方向の一方側が開放された略コ字状の断面形状を有しており、スロット部７６，７７，７８の内方には、それぞれリブ７６ｃ，７７ｃ，７８ｃが形成されている。ＬＥＤ基板６０の挿入部６１ａが、リブ７６ｃ，７７ｃ，７８ｃと、これらに対向する対向面７０ａと、の間に挿入されると、リブ７６ｃ，７７ｃ，７８ｃが弾性変形し、挿入部６１ａは、圧入された状態で挟持される。これにより、ＬＥＤ基板６０のライトガイド７０に対するｚ方向（上下方向）の変位が規制される。
【００３１】
また、ＬＥＤ基板６０がスロット部７６，７７，７８に挟持されることによって、ＬＥＤ基板６０が元々有している反りを矯正することが可能である。また、ＬＥＤ基板６０の挿入部６１ａは、複数のＬＥＤ６２がライトガイド７０の入射面７４に当接するまでスロット部７６，７７，７８に挿入されるため、ＬＥＤ基板６０はライトガイド７０に対して位置決めされる。
【００３２】
［ライトガイドユニットのベース部への取付け］
次に、画像読取装置１０３の製造方法の一部である、ライトガイドユニット５６Ｒのベース部８０への取付け方法について説明する。この際、図９（ａ）（ｂ）に示すように、組立工具９０を用いる。なお、ライトガイドユニット５６Ｒと同様の方法で、ライトガイドユニット５６Ｌはベース部８０へ取り付けられる。
【００３３】
まず、組立工具９０に対して、ベース部８０が固定される。組立工具９０は、ベース部８０を支持する支持台９１と、支持台９１上に設けられる基準ピン９２ａ，９２ｂと、調整ピン９３ａ，９３ｂ，９３ｃと、を有している。組立工具９０にベース部８０を固定する際には、ベース部８０の位置決め孔８５ａ，８５ｂに対して、基準ピン９２ａ，９２ｂがそれぞれ嵌合することで、支持台９１に対してベース部８０を位置決めする。そして、ビス締め等の固定解除が可能な手段を用いてベース部８０を支持台９１に固定する。また、調整ピン９３ａ，９３ｂ，９３ｃは、ベース部８０の孔部８３ａ，８３ｂ，８３ｃに下方から挿通され、孔部８３ａ，８３ｂ，８３ｃの上方に突出している。
【００３４】
次に、図１０（ａ）に示すように、組立工具９０に固定されたベース部８０に対して、ライトガイドユニット５６Ｒを取り付ける。この際、まずライトガイド７０の当接面７１ａ，７１ｂをベース部８０の支持部８１ａ，８１ｂに対してそれぞれ当接させる。ここで、図１０（ｂ）に示すように、支持部８１ａは、ＬＥＤ基板６０の長手方向であるｘ方向に直交するｙｚ断面において、ライトガイド７０の第１当接面としての当接面７１ａと接点Ｐ１，Ｐ２で接するＶ字状の斜面８６ａを有している。
【００３５】
第３当接面としてのＶ字状の斜面８６ａは、第１接点としての接点Ｐ１における当接面７１ａの接線平面８７ａと、第２接点としての接点Ｐ２における当接面７１ａの接線平面８８ａと、によって形成されている。そして、接点Ｐ１における斜面８６ａの法線Ｍ１と接点Ｐ２における斜面８６ａの法線Ｍ２は、第１交点としての交点Ｃ１において交差している。
【００３６】
同様にして、支持部８１ｂは、ＬＥＤ基板６０の長手方向であるｘ方向に直交するｙｚ断面において、ライトガイド７０の第２当接面としての当接面７１ｂと接点Ｐ３，Ｐ４で接するＶ字状の斜面８６ｂを有している。第４当接面としてのＶ字状の斜面８６ｂは、第３接点としての接点Ｐ３における当接面７１ｂの接線平面８７ｂと、第４接点としての接点Ｐ４における当接面７１ａの接線平面８８ｂと、によって形成されている。そして、接点Ｐ３における斜面８６ｂの法線Ｍ３と接点Ｐ４における斜面８６ｂの法線Ｍ４は、第２交点としての交点Ｃ２において交差している。
【００３７】
そして、図１０（ａ）（ｂ）に示すように、交点Ｃ１及び交点Ｃ２を通る軸線Ｃは、ＬＥＤ基板６０の長手方向であるｘ方向に延びている。ライトガイド７０の当接面７１ａ，７１ｂは、ｙｚ断面において、軸線Ｃを中心とする円弧状、すなわち曲面状に形成されている。このようなベース部８０の支持部８１ａ，８１ｂ及びライトガイド７０の当接面７１ａ，７１ｂの形状により、ライトガイドユニット５６Ｒは、ｘ方向に延びる軸線Ｃを中心にベース部８０に対して回動可能に支持される。これにより、ライトガイドユニット５６Ｒのベース部８０に対するｙ方向及びｚ方向における変位と、ｙ方向軸周り及びｚ方向軸周りの回動が規制される。
【００３８】
次に、ライトガイド７０の位置決めピン部７６ｂがベース部８０の長孔部８２に挿入される。位置決めピン部７６ｂは、ｘ方向において長孔部８２に移動規制されるため、この時点でライトガイドユニット５６Ｒのベース部８０に対するｘ方向における変位が規制される。ここで、位置決めピン部７６ｂは、ｙ方向に長い長孔部８２に対してｙ方向において遊嵌して移動規制されていないため、ライトガイドユニット５６Ｒは軸線Ｃを回動軸として回動可能である。
【００３９】
更に、ライトガイド７０のスロット部７６，７７，７８の被押圧部としての下面７６ａ，７７ａ，７８ａが、ベース部８０の孔部８３ａ，８３ｂ，８３ｃから突出した調整ピン９３ａ，９３ｂ，９３ｃに当接する。なお、スロット部７６，７７，７８の下面７６ａ，７７ａ，７８ａは、孔部８３ａ，８３ｂ，８３ｃに対向すると共に、原稿台ガラス３１に略平行に配置されている。この時点で、ライトガイド７０をベース部８０に載置する載置工程が完了し、ライトガイドユニット５６Ｒのベース部８０に対するｘ方向軸周りの回動が規制される。このため、ライトガイドユニット５６Ｒがベース部８０に対して位置決め及び姿勢決めされる。また、スロット部７６，７７，７８及び調整ピン９３ａ，９３ｂ，９３ｃは、ライトガイド７０のｘ方向における中央部及び両端部にそれぞれ設けられているため、ライトガイド７０が部品成形時より元々有している反りを矯正することが可能である。
【００４０】
ここで、上述したように、ライトガイドユニット５６Ｌ，５６Ｒを、組立工具９０に固定されたベース部８０に対して組み付けた時点で、各ライトガイドから出射される光の照明位置Ｆが決まる。そして、本実施の形態によれば、図１１（ａ）（ｂ）に示すように、調整ピン９３ａ，９３ｂ，９３ｃのｚ方向における突出量を変えることで、ライトガイドユニット５６Ｌ，５６Ｒの姿勢を変えて、照明位置Ｆをｚ方向に変位させることができる。すなわち、ライトガイド７０の下面７６ａ，７６ｂ，７６ｃを調整ピン９３ａ，９３ｂ，９３ｃによって押圧することで、軸線Ｃを中心とするライトガイド７０のベース部８０に対する回動角を調整することができる。
【００４１】
例えば、図１１（ａ）に示すライトガイドユニット５６Ｌ，５６Ｒの姿勢に対して、調整ピン９３ａ，９３ｂ，９３ｃを更に突出させる。これにより、ライトガイドユニット５６Ｌ，５６Ｒを軸線Ｃを中心に回動させ、図１１（ｂ）に示すように、照明位置Ｆ’に各ライトガイドから出射される光の照明位置を変更することができる。即ち、調整ピン９３ａ，９３ｂ，９３ｃの突出量を調整することで、所望の照明位置の設定が可能となる。この時点で、ライトガイド７０をベース部８０に対する回動角を調整する調整工程が完了する。
【００４２】
調整ピン９３ａ，９３ｂ，９３ｃの突出量の調整方式については、無段階調整が可能な構成を用いても良いし、様々な突出量になるように設定された種々の調整ピンを支持台９１に対して交換可能に取り付ける構成を用いても良い。また、ライトガイドユニット５６Ｌ，５６Ｒが所望の位置、姿勢に設定されている時、スロット部７６，７７，７８の下面７６ａ，７７ａ，７８ａのそれぞれが、ｘｙ平面に対して略平行面となるように形成されていると良い。これにより、支持台９１に対する調整ピン９３ａ，９３ｂ，９３ｃの取り付け位置が、ｘ方向及びｙ方向にばらついても、調整ピン９３ａ，９３ｂ，９３ｃが下面７６ａ，７７ａ，７８ａに対して当接する位置はｚ方向において変位しない。このため、ライトガイドユニット５６Ｌ，５６Ｒの姿勢への影響は微少なものとなる。
【００４３】
最後に、ライトガイドユニット５６，５６Ｒのベース部８０に対する位置決め、姿勢決めがなされた状態で、ライトガイドユニット５６Ｌ，５６Ｒをベース部８０に対してＵＶ接着する。ここで、ＵＶ接着位置は、図１２に示すように、当接面７１ａ，７１ｂが支持されている箇所と、ＬＥＤ基板６０とベース部８０との間隙に設定する。なお、ＬＥＤ基板６０とベース部８０との間隙のＵＶ接着位置は、ｘ方向において複数個所に設けられるのが望ましい。これにより、回動角が調整されたライトガイド７０をベース部８０に対して固定する固定工程が完了する。なお、ＵＶ接着とは、接着剤として用いられた紫外線硬化樹脂を紫外線によって硬化させて接着する方法であるが、ＵＶ接着に限らず、紫外線硬化樹脂を使わない接着剤による接着や、圧着、熱接着、ビス留め等の他の固定方法を適用してもよい。
【００４４】
ＵＶ接着がなされた後は、ライトガイドユニット５６Ｌ，５６Ｒと一体になったベース部８０を、組立工具９０から取り外し、照明ユニット５５として、ボックスフレーム５１の上部に位置決め孔８５ａ，８５ｂを用いて取り付ける（図２、図６参照）。
【００４５】
以上説明したように、本実施の形態によれば、照明ユニット５５を組み立てる際に、調整ピン９３ａ，９３ｂ，９３ｃを備えた組立工具９０を用いることで、ライトガイドユニット５６Ｌ，５６Ｒの姿勢を変えて、所望の照明位置Ｆの設定が可能となる。これにより、ライトガイドユニット５６Ｌ，５６Ｒの位置、姿勢を調整するような例えばシート部材等の部品が不要となり、必要最低限の部品数で、ライトガイドユニット５６Ｌ，５６Ｒの位置決め、姿勢決め及び支持を行うことが可能となる。そのため、部品コスト、組立工数及び組立工賃を低減することができる。
【００４６】
また、部品数が少ないため、部品公差の積み上げによるライトガイドユニット５６Ｌ，５６Ｒの位置、姿勢への影響を小さくすることが可能であり、ライトガイド７０及び照明位置Ｆの位置精度を向上することができる。更に、高精度の調整ピン９３ａ，９３ｂ，９３ｃを用いて照明位置Ｆの設定を行う構成であるため、照明位置Ｆの位置ズレによる照明不良も低減可能である。また、ライトガイド７０をＬＥＤ基板６０の長手方向に平行に延びる軸線Ｃを中心に回動させることでライトガイドユニット５６Ｌ，５６Ｒの姿勢を変更するので、照明位置Ｆにおいて副走査方向に延びる線光源を容易に作ることができる。
【００４７】
また、本実施の形態のようなＡＤＦ１を備えた画像読取装置１０３と、ＡＤＦ１を備えず固定読みのみが可能な画像読取装置と、では適切な照明位置Ｆが異なる場合がある。しかしながら、本実施の形態のように調整ピン９３ａ，９３ｂ，９３ｃを備えた組立工具９０を用いて照明位置Ｆの設定を行う構成により、照明ユニット５５を構成する部品を共通化することが可能である。
【００４８】
＜第２の実施の形態＞
次いで、本発明の第２の実施の形態について説明するが、第２の実施の形態は、第１の実施の形態のベース部８０に形成されるＶ字状の斜面８６ａを、円弧形状かつ曲面状に形成したものである。このため、第１の実施の形態と同様の構成については、図示を省略、又は図に同一符号を付して説明する。
【００４９】
導光部材としてのライトガイド１７０は、図１３に示すように、ｙｚ断面において、軸線Ｃを中心とする第１当接面及び第２当接面としての円弧状の当接面１７１ａ，１７１ｂを有している。また、ベース部８０の支持部１８１ａ，１８１ｂは、ｙｚ断面において、軸線Ｃを中心とする第３当接面及び第４当接面としての円弧状の円弧面１８６ａ，１８６ｂをそれぞれ有している。
【００５０】
円弧状の当接面１７１ａ，１７１ｂと円弧状の円弧面１８６ａ，１８６ｂは、その円弧形状において連続して当接している。例えば当接面１７１ａは円弧面１８６ａに接点Ｐ１，Ｐ２において接し、当接面１７１ｂは円弧面１８６ｂに接点Ｐ３，Ｐ４において接している。そして、接点Ｐ１における円弧面１８６ａの法線Ｍ１と接点Ｐ２における円弧面１８６ａの法線Ｍ２は、交点Ｃ１において交差している。同様にして、接点Ｐ３における円弧面１８６ｂの法線Ｍ３と接点Ｐ４における円弧面１８６ｂの法線Ｍ４は、交点Ｃ２において交差している。
【００５１】
そして、交点Ｃ１及び交点Ｃ２を通る軸線Ｃは、ＬＥＤ基板６０の長手方向であるｘ方向に延びており、ライトガイドユニット１５６Ｒは、ｘ方向に延びる軸線Ｃを中心にベース部１８０に対して回動可能に支持されている。なお、ライトガイドユニット１５６Ｒのベース部１８０への取付け方法については、第１の実施の形態と同様であるため、説明を省略する。
【００５２】
以上のように構成することで、ライトガイドユニット１５６Ｒを軸線Ｃを中心に回動させ、容易に照明位置Ｆの設定が可能となる。これにより、必要最低限の部品数で、ライトガイドユニット１５６Ｒの位置決め、姿勢決め及び支持を行うことが可能となる。そのため、部品コスト、組立工数及び組立工賃を低減すると共に、ライトガイド１７０及び照明位置Ｆの位置精度を向上することができる。
【００５３】
＜第３の実施の形態＞
次いで、本発明の第３の実施の形態について説明するが、第３の実施の形態は、第１の実施の形態のライトガイド７０のベース部８０に対する支持構造を変更したものである。このため、第１の実施の形態と同様の構成については、図示を省略、又は図に同一符号を付して説明する。
【００５４】
導光部材としてのライトガイド２７０は、図１４に示すように、ＬＥＤ基板６０の長手方向であるｘ方向に平行に延びる第１軸部２７１ａ及び第２軸部２７１ｂを有している。第１軸部２７１ａ及び第２軸部２７１ｂは、ライトガイド２７０のｘ方向における両端部からそれぞれ突出しており、これら第１軸部２７１ａ及び第２軸部２７１ｂの外周面は、それぞれ第１当接面及び第２当接面を構成している。また、ベース部２８０は、ｚ方向に立ち上がる枠部２８９を有しており、枠部２８９には、Ｕ字溝からなる第３当接面及び第４当接面を有する支持部２８１ａ，２８１ｂが形成されている。
【００５５】
第１軸部２７１ａ及び第２軸部２７１ｂは、支持部２８１ａ，２８１ｂに回動可能に支持されており、第１軸部２７１ａ及び第２軸部２７１ｂの軸中心線は、軸線Ｃと同一である。なお、第１軸部２７１ａ及び第２軸部２７１ｂと支持部２８１ａ，２８１ｂと、の接点と軸線Ｃとの関係は、第２の実施の形態とほぼ同一であるため、説明を省略する。
【００５６】
以上のように構成することで、ライトガイドユニット２５６Ｒを軸線Ｃを中心に回動させ、容易に照明位置Ｆの設定が可能となる。これにより、必要最低限の部品数で、ライトガイドユニット２５６Ｒの位置決め、姿勢決め及び支持を行うことが可能となる。そのため、部品コスト、組立工数及び組立工賃を低減すると共に、ライトガイド２７０及び照明位置Ｆの位置精度を向上することができる。
【００５７】
なお、上述の第１及び第２の実施の形態におけるライトガイドの当接面並びに第３の実施の形態におけるライトガイドの第１軸部及び第２軸部は、軸線Ｃを中心とする円弧状かつ曲面状の当接面を有しているが、これに限定されない。すなわち、ライトガイドが軸線Ｃを中心に回動可能にベース部に対して支持されるためには、ライトガイド及びベース部の当接面の少なくともいずれか一方が軸線Ｃを中心とする円弧状に形成されていればよい。例えば、第２の実施の形態において、ライトガイド１７０の当接面１７１ａ，１７１ｂを、ｙｚ断面において矩形に構成してもよい。また、ライトガイド、ベース部の形状について軸線Ｃを中心とする円弧状に形成する例を説明したが必ずしも軸線Ｃを中心とする円弧である必要はない。ライトガイド及びベース部の当接面は、ライトガイドをベース部に取付ける際に回転が可能なように、ｙｚ断面において少なくとも一方が曲面を有するようになっていれば良い。
【００５８】
また、既述の何れの形態においても、ライトガイドユニットを２つ設けていたが、１つや３つ以上設けても良い。また、ライトガイドに形成されるスロット部は断面略コ字状に形成されていたが、これに限定されない。更に、スロット部並びに調整ピンがそれぞれ３個ずつ設けられているが、１〜２個又は４個以上設けても良い。
【００５９】
また、既述の何れの形態においても、画像読取装置１０３は、ＡＤＦ１を有するものに限定されず、原稿を上方から原稿台ガラス３１に押し付ける圧板のみを有するものでも良い。
【００６０】
また、既述のいずれの形態においても、電子写真方式のプリンタ１０１を用いて説明したが、本発明はこれに限定されない。例えば、ノズルからインク液を吐出させることでシートに画像を形成するインクジェット方式の画像形成装置にも本発明を適用することが可能である。また、既述のいずれの形態においても、スキャナユニット５０は、照明ユニット５５と、ＣＣＤ５４とを備える例で説明したが、この構成に限られるものではない。副走査方向へ移動するユニットを照明ユニット５５のみにし、固定されたＣＭＯＳセンサ等の光電変換素子に、原稿から反射した光をミラーで導くような構成にしても良い。
【００６１】
以上、様々な実施の形態を説明したが、本発明は上述した実施の形態に何ら限定されるものではなく、本発明の趣旨を逸脱しない範囲内で種々の改良変更が可能である。そして、ライトガイドがベース部に対して回動調整可能に構成されていれば、本発明の効果を得ることができる。
【符号の説明】
【００６２】
５４：画像読取部（ＣＣＤ）／６０：基板（ＬＥＤ基板）／６２：複数の光源（ＬＥＤ）／７０，１７０，２７０：導光部材（ライトガイド）／７１ａ，１７１ａ：第１当接面（当接面）／７１ｂ，１７１ｂ：第２当接面（当接面）／７６：保持部（スロット部）／７６ａ：下面、被押圧部／７６ｂ：突出部（位置決めピン部）／７７ａ，７８ａ：被押圧部（下面）／８０，１８０，２８０：支持部材（ベース部）／８２：長孔部／８６ａ：第３当接面（斜面）／８６ｂ：第４当接面（斜面）／８７ａ，８７ｂ，８８ａ，８８ｂ：接線平面／９０：組立工具／９３ａ，９３ｂ，９３ｃ：調整ピン／１０１：画像形成装置／１０３：画像読取装置／１１９：画像形成部／２７１ａ：第１軸部／２７１ｂ：第２軸部／Ｃ：軸線／Ｃ１：第１交点（交点）／Ｃ２：第２交点（交点）／Ｍ１，Ｍ２，Ｍ３，Ｍ４：法線／Ｐ１：第１接点（接点）／Ｐ２：第２接点（接点）／Ｐ３：第３接点（接点）／Ｐ４：第４接点（接点）／
【図１】
2019149778.tif 000003
【図２】
2019149778.tif 000004
【図３】
2019149778.tif 000005
【図４】
2019149778.tif 000006
【図５】
2019149778.tif 000007
【図６】
2019149778.tif 000008
【図７】
2019149778.tif 000009
【図８】
2019149778.tif 000010
【図９】
2019149778.tif 000011
【図１０】
2019149778.tif 000012
【図１１】
2019149778.tif 000013
【図１２】
2019149778.tif 000014
【図１３】
2019149778.tif 000015
【図１４】
2019149778.tif 000016